(57)【要約】【課題】点灯時に放射する光に影響を与えることなく、消灯時のデザイン性を向上することができる面発光照明装置を提供する。【解決手段】面発光照明パネル２０を備えた面発光照明装置１１であって、面発光照明パネル２０の光放射面２１ｂ側に分散配置された、複数の着色層３２と、着色層３２のそれぞれに対して面発光照明パネル２０側に積層された複数の反射層３１とを備える。そのような構成により、面発光照明パネル２０の点灯時には、面発光照明パネル２０が発した光を反射層３１によって着色層３２を通過させず、面発光照明パネル２０の消灯時に、外方からの光の一部が着色層３２を通過して光放射面２１ｂ側に反射されるので、面発光照明装置１１が消灯時に反射する光の色を面発光照明パネル２０の本来の色から所望の異なる色にすることができる。【選択図】図６
2015041420.tif 000002
【特許請求の範囲】
【請求項１】
面発光照明パネルを備えた面発光照明装置であって、
前記面発光照明パネルの光放射面側に分散配置された、複数の着色層と、前記着色層のそれぞれに対して前記面発光照明パネル側に積層された複数の反射層とを備える
ことを特徴とする面発光照明装置。
【請求項２】
前記面発光照明パネルは、有機ＥＬ照明パネルである
ことを特徴とする請求項１に記載の面発光照明装置。
【請求項３】
前記反射層および前記着色層は、斑点状に配置されている
ことを特徴とする請求項１または請求項２に記載の面発光照明装置。
【請求項４】
対をなす前記反射層と前記着色層とは、両者の積層面に沿う形状が互いに一致するように形成されている
ことを特徴とする請求項１から請求項３のうちいずれかに記載の面発光照明装置。
【請求項５】
前記反射層および前記着色層は、前記面発光照明パネルの光放射面に対向して配設された光透過性板状体に設けられる
ことを特徴とする請求項１から請求項４のうちいずれかに記載の面発光照明装置。
【請求項６】
前記反射層および前記着色層は、前記光透過性板状体において前記面発光照明パネルに対向する面に形成されている
ことを特徴とする請求項５に記載の面発光照明装置。
【請求項７】
前記反射層および前記着色層は、前記光透過性板状体において前記面発光照明パネルに対向する面の反対側の面に形成されている
ことを特徴とする請求項５に記載の面発光照明装置。
【請求項８】
前記反射層は、アルミニウム、銀、または銀もしくはアルミニウムの合金からなる
ことを特徴とする請求項１から請求項７のうちいずれかに記載の面発光照明装置。
【請求項９】
前記反射層は、白色顔料、アルミニウムペースト、および銀ナノペーストのいずれかを含む有機化合物からなる
ことを特徴とする請求項１から請求項７のうちいずれかに記載の面発光照明装置。
【請求項１０】
前記反射層は、赤色光の反射率、緑色光の反射率、および青色光の反射率がいずれも７０％以上である
ことを特徴とする請求項１から請求項９のうちいずれかに記載の面発光照明装置。
【請求項１１】
前記反射層および前記着色層を挟んで前記面発光照明パネルに対向する位置に設けられ、入射した光を散乱して出射する光拡散性板状体を含む
ことを特徴とする請求項１から請求項１０のうちいずれかに記載の面発光照明装置。
【発明の詳細な説明】
【技術分野】
【０００１】
本発明は、面発光照明パネルを備えた面発光照明装置に関する。
【背景技術】
【０００２】
面発光照明装置において光を発する面発光照明パネルには、例えば、有機ＥＬパネルが用いられる。有機ＥＬパネルは、有機ＥＬ層が積層された金属電極を含む。有機ＥＬパネルの消灯時には、この金属電極が外方からの光を反射する。従って、金属電極がアルミニウムである場合には、有機ＥＬパネルの消灯時には、当該有機ＥＬパネルの光放射面は灰色または銀色に見える。
【０００３】
なお、特許文献１には、着色等がされたガラス板が記載されている。
【先行技術文献】
【特許文献】
【０００４】
【特許文献１】特開２０００−１３３９８７号公報
【発明の概要】
【発明が解決しようとする課題】
【０００５】
面発光照明装置の消灯時のデザイン性を向上させるために、面発光照明パネルの光放射面側に、特許文献１に記載されている着色等がされたガラス板を設置することが考えられる。しかし、特許文献１に記載されているガラス板は、面発光照明パネルの点灯時に、当該面発光照明パネルが放射した光が通過するときに色を変化させてしまうという問題がある。
【０００６】
本発明はこのような課題に鑑みてなされたものであり、その目的とするところは、点灯時に放射する光に影響を与えることなく、消灯時のデザイン性を向上することができる面発光照明装置を提供することにある。
【課題を解決するための手段】
【０００７】
上記目的を達成するため、本発明による面発光照明装置は、面発光照明パネルを備えた面発光照明装置であって、前記面発光照明パネルの光放射面側に分散配置された、複数の着色層と、前記着色層のそれぞれに対して前記面発光照明パネル側に積層された複数の反射層とを備えることを特徴とする。
【０００８】
前記面発光照明パネルは、有機ＥＬ照明パネルであってもよい。
【０００９】
前記反射層および前記着色層は、斑点状に配置されていてもよい。
【００１０】
対をなす前記反射層と前記着色層とは、両者の積層面に沿う形状が互いに一致するように形成されていることが好ましい。そのような構成によれば、面発光照明パネルが発した光の着色層への入射を良好に防止し、面発光照明パネルが発した光を忠実にそのままの色で放射することができる。
【００１１】
前記反射層および前記着色層は、前記面発光照明パネルの光放射面に対向して配設された光透過性板状体に設けられていてもよい。そのような構成によれば、何らかの理由で面発光照明パネルを交換する際に、反射層および着色層が形成されている光透過性板状体を交換する必要がないので、低廉なメンテナンス費用で面発光照明装置を維持することができる。
【００１２】
前記反射層および前記着色層は、前記光透過性板状体において前記面発光照明パネルに対向する面に形成されていてもよい。そのような構成によれば、反射層と着色層とが光透過性板状体によって外部から保護され、反射層と着色層との耐久性を向上させることができる。
【００１３】
前記反射層および前記着色層は、前記光透過性板状体において前記面発光照明パネルに対向する面の反対側の面に形成されていてもよい。そのような構成によれば、反射層および着色層が外方に露出しているので、面発光照明パネルを取り外す必要なく、光透過性板状体から反射層および着色層を除去したり、さらに再度形成したりして、面発光照明装置のデザインを容易に変更することや、修復をすることができる。
【００１４】
前記反射層は、アルミニウム、銀、または銀もしくはアルミニウムの合金からなってもよい。アルミニウム、銀、または銀もしくはアルミニウムの合金は、広い波長範囲で光の反射率がほぼ一定であるので、反射層による反射時の着色を良好に防止することができ、かつ、反射率が高いので、高い効率で反射光を放射することができる。
【００１５】
前記反射層は、白色顔料、アルミニウムペースト、および銀ナノペーストのいずれかを含む有機化合物からなってもよい。白色顔料は、広い波長範囲で光の反射率がほぼ一定であるので反射層による反射時の着色を良好に防止することができる。また、アルミニウムペーストや銀ナノペーストは、広い波長範囲で光の反射率がほぼ一定であるので、反射層による反射時の着色を良好に防止することができ、かつ、反射率が高いので、高い効率で反射光を放射することができる。
【００１６】
前記反射層は、赤色光の反射率、緑色光の反射率、および青色光の反射率がいずれも７０％以上であることが好ましい。そのような構成によれば、反射層の反射率が高いので、面発光照明パネルが発した光が当該反射層によって反射されても発光効率の低下を良好に防止することができる。また、各色の光の反射率がいずれも高いので、反射層によって周波数スペクトルが偏った反射光となることを良好に防止できる。
【００１７】
前記反射層および前記着色層を挟んで前記面発光照明パネルに対向する位置に設けられ、入射した光を散乱して出射する光拡散性板状体を含むことが好ましい。そのような構成によれば、面発光照明パネルの消灯時に、着色層が形成されている領域と、残領域とによる色むらを良好に防ぐことができる。
【発明の効果】
【００１８】
本発明によれば、面発光照明パネルの点灯時に、面発光照明パネルが発した光のうち着色層を指向する光は反射層によって反射されて着色層の通過を良好に防止することができる。従って、面発光照明パネルが発した光を忠実にそのままの色で放射することができる。
【００１９】
また、面発光照明パネルの消灯時には、外方からの光の一部が着色層を通過して反射層によって反射されるので、面発光照明装置を消灯時に外方から見たときの色を面発光照明パネルが点灯時に発する光の色から所望の異なる色にすることができる。
【図面の簡単な説明】
【００２０】
【図１】本発明による面発光照明装置の基本構成例を示す平面図である。
【図２】面発光照明パネルの例として有機ＥＬ面発光照明パネルの斜視図である。
【図３】面発光照明パネルの例として有機ＥＬ面発光照明パネルの断面図である。
【図４】本発明の第１の実施形態の面発光照明装置を示す断面図である。
【図５】着色層および反射層の他の形状の例を示す断面図である。
【図６】面発光照明パネルが消灯時の光の反射を示す断面図である。
【図７】本発明の第２の実施形態の面発光照明装置を示す断面図である。
【図８】本発明の第３の実施形態の面発光照明装置を示す断面図である。
【図９】本発明の第４の実施形態の面発光照明装置を示す断面図である。
【図１０】本発明の第５の実施形態の面発光照明装置を示す断面図である。
【発明を実施するための形態】
【００２１】
以下、図面に基づき本発明の実施形態について説明する。図１は、本発明による面発光照明装置１０の基本構成例を示す正面図である。図１に示すように、面発光照明装置１０は面発光照明パネル２０を含む。そして、図１に示すように、面発光照明装置１０の正面は、面発光照明パネル２０の光放射面によってなる。また、図１に示すように、面発光照明パネル２０の光放射面側には、斑点状に分散配置されて積層体３０が設けられている。なお、本例では、面発光照明パネル２０は、有機ＥＬパネルであるとして説明するが、他の形式の面発光照明パネルであってもよい。
【００２２】
（有機ＥＬ面発光パネル）
先ず、面発光照明装置１０を構成する面発光照明パネル２０について、図２および図３を参照しつつ詳細に説明する。ここで、図２は本実施例に係る面発光照明パネル２０の斜視図であり、図３は本実施例に係る面発光照明パネル２０の断面図である。
【００２３】
図２に示すように、面発光照明パネル２０は、透明基板２１、有機ＥＬ発光素子１２、光拡散部１３、および封止部１４から構成されている。また、有機ＥＬ発光素子１２は、発光色が赤色である有機ＥＬ発光素子１２Ｒ、発光色が緑色である有機ＥＬ発光素子１２Ｇ、発光色が青色である有機ＥＬ発光素子１２Ｂの３種類に分類される。
【００２４】
本実施例において、透明基板２１は、ガラス製の基板である。なお、透明基板２１は、可視光を透過する特性を有する基板であればよく、例えば、ポリエステル、ポリメタクリレート、ポリカーボネート、ポリイミド、ポリエチレンテレフタレート、ポリエチレンナフタレート又はポリスルホン等の透明な樹脂；セラミックスなどから構成されてもよい。
【００２５】
より具体的な面発光照明パネル２０の構成として、透明基板２１の有機ＥＬ発光素子形成面２１ａ（後述する実施形態における裏面２１ａに相当）上には、有機ＥＬ発光素子１２Ｒ、有機ＥＬ発光素子１２Ｇ、および有機ＥＬ発光素子１２Ｂが各々複数個ずつ、隣接する素子の有機層１６（図２においては省略）同士が互いに離間してストライプ状に並設されている。これらの有機ＥＬ発光素子は、有機ＥＬ発光素子１２Ｒ、１２Ｇ、１２Ｂの順序で繰り返して並置されている。このような構成により、有機ＥＬ発光素子１２Ｒから放射される赤色の光、有機ＥＬ発光素子１２Ｇから放射される緑色の光、および有機ＥＬ発光素子１２Ｂから放射される青色の光を合成し、面発光照明パネル２０から全体的に均一色の合成光を放射することになる。なお、各色の光を放射する有機ＥＬ発光素子１２Ｒ、１２Ｇ、１２Ｂのそれぞれの個数は１個ずつであってもよいが、発光面の拡大化、面発光照明パネル２０の高輝度化および良好な光の混合を図る場合には、多くの有機ＥＬ発光素子１２Ｒ、１２Ｇ、１２Ｂを並置することが好ましい。また、各有機ＥＬ発光素子は、各有機ＥＬ発光素子の有機層１６間に絶縁性の樹脂等からなる隔壁１８を設けることによって離間させられている。
【００２６】
図３に示すように、発光色が赤色である有機ＥＬ発光素子１２Ｒは、透明基板２１上に形成された陽極（透明電極）１５Ｒ、陽極１５Ｒ上に形成された有機層１６Ｒ、および有機層１６Ｒ上に形成された陰極（金属電極）１７Ｒから構成されている。同様に、発光色が緑色である有機ＥＬ発光素子１２Ｇは、透明基板２１上に形成された陽極（透明電極）１５Ｇ、陽極１５Ｇ上に形成された有機層１６Ｇ、有機層１６Ｇ上に形成された陰極（金属電極）１７Ｇから構成され、発光色が青色である有機ＥＬ発光素子１２Ｂは、透明基板２１上に形成された陽極（透明電極）１５Ｂ、陽極１５Ｂ上に形成された有機層１６Ｂ、有機層１６Ｂ上に形成された陰極（金属電極）１７Ｂから構成されている。なお、各有機層１６Ｒ、１６Ｇ、１６Ｂは、隔壁１８によって離間させられているが、陽極１５Ｒ、１５Ｇ、１５Ｂは図３に示すように１層で（一体となって）形成されていてもよい。陰極１７Ｒ、１７Ｇ、１７Ｂも同様である。そして、一体となった陰極１７Ｒ、１７Ｇ、１７Ｂによって後述する実施形態の金属電極２３が形成される。また、各有機層１６Ｒ、１６Ｇ、１６Ｂと陰極１７Ｒ、１７Ｇ、１７Ｂとによって後述する実施形態の有機ＥＬ層２２が形成される。陽極１５Ｒ、１５Ｇ、１５Ｂのいずれかを指定しない場合には単に陽極１５と称し、有機層１６Ｒ、１６Ｇ、１６Ｂのいずれかを指定しない場合には単に有機層１６と称し、陰極１７Ｒ、１７Ｇ、１７Ｂのいずれかを指定しない場合には単に陰極１７と称する場合がある。すなわち、本実施例において、透明基板２１上には、各有機ＥＬ発光素子１２を構成する陽極１５、有機層１６および陰極１７が順次積層されている。
【００２７】
本実施例においては、陽極１５は、インジウム錫酸化物（ＩＴＯ）から構成されている。このため、陽極１５は、有機層１６に正孔を注入する機能を有し、且つ有機層１６からの発光に対して透光性を備えている。すなわち、陽極１５は、透明電極として機能する。陽極１５の形成は、スパッタリング法や真空蒸着法等により行われる。陽極１５の表面には、陽極１５上の不純物除去や、イオン化ポテンシャルの調整による正孔注入性向上の点から、紫外線照射やオゾン処理をしてから有機層１６を形成することが好ましい。
【００２８】
なお、陽極１５は、インジウム錫酸化物から構成されていることに限定されることなく、有機層１６に正孔を注入する機能を有し、且つ有機層１６からの発光に対して透光性を備えていれば、例えば、インジウム亜鉛酸化物等の金属酸化物、アルミニウム、金、銀、ニッケル、パラジウム、白金等の金属、ヨウ化銅等のハロゲン化金属、カーボンブラック、ポリ（３−メチルチオフェン）、ポリピロール等の導電性高分子等から構成されてもよい。また、陽極１５は、有機ＥＬ発光素子１２Ｒ、１２Ｇ、１２Ｂ毎に異なる材料から構成されてもよい。
【００２９】
図３において図示されていないが、有機ＥＬ発光素子１２は、更に正孔注入層、正孔輸送層、電子輸送層および／または電子注入層を有してもよい。その場合、陽極１５側から正孔注入層、正孔輸送層、発光層、電子輸送層および電子注入層の順に積層された構造を有していることが好ましい。なお、このような積層構造の場合、有機層１６は正孔注入層、正孔輸送層、発光層、電子輸送層および電子注入層から構成されてもよく、これらの一部の層から構成されてもよい。すなわち、各層の材料に有機材料を用いるか否かによって、有機層１６を構成する層が異なってくる。
【００３０】
上記正孔注入層および正孔輸送層は、正孔輸送性の材料から形成されることが好ましく、芳香族アミン誘導体、フタロシアニン誘導体、ポルフィリン誘導体、オリゴチオフェン誘導体、ポリチオフェン誘導体、ベンジルフェニル誘導体、フルオレン基で３級アミンを連結した化合物、ヒドラゾン誘導体、シラザン誘導体、シラナミン誘導体、ホスファミン誘導体、キナクリドン誘導体、ポリアニリン誘導体、ポリピロール誘導体、ポリフェニレンビニレン誘導体、ポリチエニレンビニレン誘導体、ポリキノリン誘導体、ポリキノキサリン誘導体、カーボン等が挙げられる。また、電子輸送層は、電子輸送性の材料から形成されることが好ましく、例えば、８−ヒドロキシキノリンのアルミニウム錯体などの金属錯体、１０−ヒドロキシベンゾ［ｈ］キノリンの金属錯体、オキサジアゾール誘導体、ジスチリルビフェニル誘導体、シロール誘導体、３−ヒドロキシフラボン金属錯体、５−ヒドロキシフラボン金属錯体、ベンズオキサゾール金属錯体、ベンゾチアゾール金属錯体、トリスベンズイミダゾリルベンゼン、キノキサリン化合物、フェナントロリン誘導体、２−ｔ−ブチル−９，１０−Ｎ，Ｎ’−ジシアノアントラキノンジイミン、ｎ型水素化非晶質炭化シリコン、ｎ型硫化亜鉛、ｎ型セレン化亜鉛などが挙げられる。電子注入層は、仕事関数の低い金属からなることが好ましい。例としては、ナトリウムやセシウム等のアルカリ金属、バリウムやカルシウムなどのアルカリ土類金属などが挙げられる。
【００３１】
上記発光層に用いられる発光材料としては、以下のものが挙げられる。赤色発光を与える発光材料としては、例えば、ＤＣＭ（４−（ｄｉｃｙａｎｏｍｅｔｈｙｌｅｎｅ）−２−ｍｅｔｈｙｌ−６−（ｐ−ｄｉｍｅｔｈｙｌａｍｉｎｏｓｔｙｒｙｌ）−４Ｈ−ｐｙｒａｎ）系化合物、ベンゾピラン誘導体、ローダミン誘導体、ベンゾチオキサンテン誘導体、アザベンゾチオキサンテン等が挙げられる。また、緑色発光を与える発光材料としては、例えば、キナクリドン誘導体、クマリン誘導体、Ａｌ（Ｃ9Ｈ6ＮＯ）3等のアルミニウム錯体等が挙げられる。更に、青色発光を与える発光材料としては、例えば、ナフタレン、ペリレン、ピレン、アントラセン、クマリン、ｐ−ビス（２−フェニルエテニル）ベンゼンおよびそれらの誘導体等が挙げられる。なお、上述した発光材料は、いずれか１種類のみを用いてもよく、２種類以上を任意の組み合わせおよび比率で併用してもよい。
【００３２】
本実施例においては、陰極１７は、透光性を有する必要がないため、アルミニウムから構成されている。すなわち、陰極１７は金属電極である。陰極１７の形成は、スパッタリング法や真空蒸着法等により行われる。なお、陰極１７は、アルミニウムに限定されること無く、例えば、スズ、マグネシウム、インジウム、カルシウム、銀等の金属又はそれらの合金等が用いられる。具体例としては、マグネシウム−銀合金、マグネシウム−インジウム合金、アルミニウム−リチウム合金等の低仕事関数の合金電極等が挙げられる。また、陰極１７は、有機ＥＬ発光素子１２Ｒ、１２Ｂ、１２Ｇ毎に異なる材料から構成されてもよい。
【００３３】
図２および図３に示すように、光拡散部１３は、透明基板２１の有機ＥＬ発光素子非形成面２１ｂ（後述する実施形態における光放射面２１ｂに相当）の全面を覆うように形成されている。光拡散部１３は、有機ＥＬ発光素子１２から放射される各色の光を拡散させ、均一に混色させる効果がある。このような効果により、ガラス基板である透明基板２１と光拡散部１３とからなる部材は、全体が単一の光源として機能する。本実施例において、光拡散部１３は透明樹脂に微粒子を分散したフィルムから構成されている。なお、光拡散部１３は、このフィルムに限定されることなく、例えば、基板表面を粗面化することによっても形成できる。なお、後述する実施形態における光拡散性板状体６０が採用される場合には、光拡散部１３は、省略されてもよいし両者を備えていてもよい。
【００３４】
上述したように、透明基板２１は各有機ＥＬ発光素子１２から放射された各色の光を透過する特性を備えている。このため、図３に示すように、各有機ＥＬ発光素子１２から放射された光は、透明基板２１および光拡散部１３を透過して、面発光照明パネル２０から外部へ放射される。
【００３５】
図２および図３に示され、他図では省略されている封止部１４は、各有機ＥＬ発光素子１２を覆い、各有機ＥＬ発光素子１２の発光材料が大気によって酸化劣化すること等を防止する機能がある。本実施例において、封止部１４は、透光性を備えるエポキシ樹脂である。なお、封止部１４は、エポキシ樹脂以外にもシリコーン樹脂等の透光性を備える他の透明樹脂であってもよい。
【００３６】
また、封止部１４は、上述したような樹脂から構成されていることに限定されることはない。例えば、封止部１４は、複数の有機ＥＬ発光素子１２を全体的に覆うようなプラスチックや硝子等の透光性部材であってもよい。
【００３７】
本実施例においては、ボトムエミッションタイプの面発光照明パネル２０を用いたが、トップエミッションタイプの有機ＥＬ面発光パネルを用いてもよい。この場合には、複数の有機ＥＬ発光素子１２を支持する透明基板２１に代えて不透明な各種の支持基板を用いることができる。層構成は陽極から陰極までをボトムエミッションタイプとは逆向きに形成すればよい。また、上述した実施例においては、有機ＥＬ発光素子１２ごとに発光色の異なる有機層１６が用いられていたが、全ての有機ＥＬ発光素子１２の有機層１６が、赤色光用の発光材料、緑色光用の発光材料、および青色光用の発光材料が均一に分散された高分子分散型のＥＬ材料から構成されてもよい。また、赤色光用の発光材料からなる層、緑色光用の発光材料からなる層、および青色光用の発光材料からなる層を積層した積層型の有機ＥＬ発光素子を用いてもよいし、いずれか２色の発光材料を混合させた層と残りの１色の発光材料を含む層とを積層させた積層型の有機ＥＬ発光素子を用いてもよい。これら積層型の有機ＥＬ発光素子においては、隔壁１８を省略してもよい。
【００３８】
なお、本実施例においては、面発光パネルとして面発光照明パネル２０を用いたが、無機ＥＬ発光体や、ＬＥＤと導光板とを組み合わせた発光体パネル用いてもよい。また、本実施例において、面発光パネルの形状は長方形であるが、その形状は限定されるものではなく、正方形、円形、楕円形、三角形、又はその他の形状であってもよい。
【００３９】
第１の実施形態
次に、本発明の第１の実施形態の面発光照明装置１１について説明する。図４は、本発明の第１の実施形態の面発光照明装置１１を示す断面図である。図４に示すように、本発明の第１の実施形態の面発光照明装置１１は、面発光照明パネル２０を含む。図４に示すように、面発光照明パネル２０は、透明電極を有する透明基板２１を備え、透明基板２１の裏面２１ａに、有機ＥＬ層２２および金属電極２３が順に積層されている。また、透明基板２１の他方の面２１ｂには、反射層３１および着色層３２が順に積層されて形成された積層体３０が分散配置されている。そして、透明基板２１の他方の面２１ｂは、面発光照明パネル２０から発せられた光を外方に放射し、光放射面２１ｂともいう。なお、透明基板２１において光放射面２１ｂの反対側の面（一方の面２１ａ）を裏面２１ａともいう。
【００４０】
透明基板２１は、例えば、ガラスによってなる。金属電極２３は、例えば、アルミニウムによってなる。また、透明基板２１の光放射面２１ｂに、斑点状に積層体３０が設けられている。
【００４１】
図４に示すように、積層体３０には、光放射面２１ｂから順に、光を反射する反射層３１と、入射した光が着色されて出射する着色層３２とが積層されている。そのような順に積層されているので、面発光照明パネル２０の点灯時に光放射面２１ｂ側から発せられる光は、着色層３２に入射することなく外方に放射されたり、反射層３１によって当該光放射面２１ｂ側に反射されたりする。また、面発光照明パネル２０の消灯時に外方から着色層３２に入射した光は反射層３１によって反射されて再度着色層３２から出射する。
【００４２】
反射層３１について説明する。反射層３１は、高い反射率を有する。具体的には、例えば、赤色光の反射率、緑色光の反射率、および青色光の反射率がいずれも５０％以上であり、好ましくは７０％以上である。また、面発光照明装置１１を色温度が低い暖色系の色の光を出射するように構成している場合には、赤色光、および緑色光の反射率が８０％以上であり、青色光の反射率が５０％程度であってもよい。
【００４３】
また、反射層３１は、例えば、アルミニウム、銀、または、銀もしくはアルミニウムの合金からなってもよいし、白色顔料、アルミニウムペースト、および銀ナノペーストのいずれかを含む有機化合物からなってもよい。白色顔料は、広い波長範囲で光の反射率がほぼ一定であるので反射光の着色を良好に防止することができ、好ましい。白色顔料は、好ましくは純白色であるが、明るい黄色、ベージュ、緑色、灰色もしくはこれに近い白色でもよい。アルミニウム、銀、または、銀もしくはアルミニウムの合金は、広い波長範囲で光の反射率がほぼ一定であるので、反射光の着色を良好に防止することができ、かつ、反射率が高いので、反射層３１には、アルミニウム、銀、または、銀もしくはアルミニウムの合金が用いられることがより好ましい。反射層２１の他の材料として、銅や鉄、ニッケル、ニッケル合金、すず、すず合金、白金、ロジウム、酸化マグネシウムなどを用いてもよい。また、反射層２１は誘電体多層膜としてもよいし、硫酸バリウムを含む有機化合物でもよい。
【００４４】
反射層３１が金属を含む場合には、酸化等によって当該反射層が腐食する可能性があるので、反射層３１上に当該反射層３１を覆う酸化防止層が形成されていてもよいし、着色層３２が反射層３１の酸化防止機能を有するように形成されていてもよい。酸化防止層は、水蒸気や酸素を通さない層や、アルカリ性の皮膜であってもよい。
【００４５】
反射層３１は、例えば、透明基板２１の光放射面２１ｂに対するめっきや蒸着、スパッタリング、塗布等の公知の方法によって設けられる。なお、アルミニウムは蒸着しやすいので、反射層３１にアルミニウムを用いる場合には、蒸着またはスパッタリングを採用することが好ましい。アルミニウム合金を用いる場合には、透明基板２１の素材によっては蒸着しにくい場合があるので、例えば、スパッタリングが採用される。透明基板２１の素材に応じてめっき処理が採用されてもよい。また、白色顔料、または金属ナノ粒子を含むアルミペーストや銀ナノペースト等を塗布して焼成することにより、反射層３１を形成してもよい。
【００４６】
なお、透明基板２１の光放射面２１ｂに設けられる積層体３０の最下層を構成する反射層３１は面発光照明装置１１の正面から見て斑点状をなすのであるが、反射層３１は、斑点状に分散配置されて形成されてもよいし、透明基板２１の光放射面２１ｂの全面に設けてから斑点状に残置されるように他部を例えばエッチング処理によって除去して形成されてもよい。つまり、透明基板２１の光放射面２１ｂの全面に反射層３１を設けてから反射層３１を斑点状に形成するためのエッチング処理を行ってもよい。
【００４７】
前述したエッチング処理を用いた斑点状の反射層３１の形成について一例を説明する。まず、上述した方法により、透明基板２１の光放射面２１ｂの全面に反射層３１を設ける。そして、反射層３１上に、着色層３２を斑点状に積層する。そして、反射層３１のうち、着色層３２が積層されていない部分をエッチング処理によって除去する。エッチング処理には、プラズマ処理などによるドライエッチングが採用されてもよいし、アルカリ性溶液か酸性溶液によるウェットエッチングが採用されてもよい。なお、ドライエッチングが採用された場合に、事前に着色層３２を保護するためのマスキング処理や、エッチング処理後の除去処理が行われてもよい。また、ウェットエッチングが採用された場合には、着色層３２がレジスト機能を有していなければ、着色層３２を保護するためのマスキング処理や、エッチング処理後の除去処理が行われる。
【００４８】
次に、着色層３２について説明する。着色層３２は、光が入射すると所定の色の光を出射する。着色層３２には、着色物が用いられる。具体的には、着色層３２に用いられる着色物には、顔料や染料、着色用の多孔質微粒子が含まれていてもよいし、インクや塗料であってもよい。また、着色層３２は、反射層３１上で固有の色の光を反射するようにめっき処理されて形成されてもよい。着色層３２が固有の色の光を反射するようにめっき処理されて形成された場合には、面発光照明パネル２０の消灯時に積層体３０を指向した光は着色層３２によって反射され、当該着色層３２の固有の色になる。着色層３２は、着色層３２自身が外部からの光を直接反射してもよいし、透過性のある着色物質からなり、裏面の反射層３１による反射光が通過する際に当該反射光を着色して面発光照明パネル２０の消灯時に見える構造としてもよい。
【００４９】
反射層３１が着色層３２を表面上に塗装しにくいアルミニウムのような素材である場合には、機械的処理による当該反射層３１の表面の素地の調整や、化学的処理による表面の洗浄を行ってから、当該反射層３１の表面に塗装を行って着色層３２を形成してもよい。さらに、着色層３２は、反射層３１上に酸化防止層が設けられてから塗布等されて形成されてもよい。機械的処理および化学的処理は、アルミニウムの表面の傷を取り除き、平滑化するために行われる。これにより、アルミニウムの表面に付着している生成上の余剰物や汚れを除去して塗装の密着度を向上させることができる。機械的処理には、例えばスラリー状の研磨用砥粒と研磨パッドとを用い物理的に研磨する方法が挙げられる。化学的処理は、化学的に脱脂洗浄を行なう方法であり、具体的には、酸処理、アルカリ処理、界面活性剤処理、有機溶剤処理などがあり、これらのひとつか２つ以上を組み合わせて行なわれる。
【００５０】
着色層３２は、スクリーン印刷等によって反射層３１上に分散して塗布等されて形成されてもよい。また、透明基板２１の光放射面２１ｂの全面に設けてから反射層３１上に残置されるように他部を例えばリソグラフィー処理によって除去してもよい。なお、積層体３０は斑点状に設けられているとして説明したが、メッシュ状や、縞模様状、市松模様状等の他の模様状に設けられていてもよいし、１つまたは複数の積層体３０によって、文字や、数字、キャラクタ等が形成されていてもよい。また、複数の積層体３０をそれぞれ構成する着色層３２の色を互いに異ならせてもよい。そのような構成によって、面発光照明装置１０のデザイン性をさらに向上させることができる。
【００５１】
積層体３０において、面発光照明パネル２０が発した光による着色層３２の通過を良好に防止するため、着色層３２と反射層３１とは、両者の積層面に沿う形状が互いに一致するように形成されていることが好ましい。なお、面発光照明パネル２０が発した光による着色層３２の通過を良好に防止するために、両者の積層面に沿う面において反射層３１の一部に着色層３２が積層されて形成されてもよい。
【００５２】
すなわち、図４に示す積層体３０は、断面が長円形の着色層３２および断面が長方形の反射層３１の組み合わせによって構成されていたが、着色層３２および反射層３１は他の形状の組み合わせであってもよい。図５は、着色層３２および反射層３１の他の形状の例を示す断面図である。
【００５３】
図５（ａ）に示す積層体３０ａは、断面が楕円形の着色層３２ａおよび断面が長方形の反射層３１ａの組み合わせによって構成されている。図５（ｂ）に示す積層体３０ｂは、断面がいずれも長方形である着色層３２ｂおよび反射層３１ｂの組み合わせによって構成されている。図５（ｃ）に示す積層体３０ｃは、断面が半円形の着色層３２ｃおよび断面が長方形の反射層３１ｃの組み合わせによって構成されている。図５（ｂ），（ｃ）に示す例では、着色層３２ｂ，ｃと反射層３１ｂ，ｃとの両者の積層面に沿う形状がそれぞれ互いに一致している。また、図５（ａ）に示す積層体３０ａの例においても、着色層３２ａおよび反射層３１ａは、両者の積層面に沿う方向の寸法が一致している。
【００５４】
従って、図５（ａ）〜（ｃ）に示す例では、反射層３１ａ，ｂ，ｃおよび着色層３２ａ，ｂ，ｃは、両者の積層面に沿う方向の寸法が一致している。図５（ｄ）〜（ｆ）に、反射層３１において着色層３２に対向する面の一部に着色層３２が積層されて形成された例を示す。
【００５５】
図５（ｄ）に示す積層体３０ｄは、断面が楕円形の着色層３２ｄと断面が長方形であって長手方向の長さが着色層３２ｄの長径よりも長い反射層３１ｄとの組み合わせによって構成されている。図５（ｅ）に示す積層体３０ｅは、断面が長方形である着色層３２ｅと断面が長方形であって長手方向の長さが着色層３２ｅの長手方向の長さよりも長い反射層３１ｅとの組み合わせによって構成されている。図５（ｆ）に示す積層体３０ｆは、断面が半円形の着色層３２ｆと断面が長方形であって長手方向の長さが着色層３２ｆの直径よりも長い反射層３１ｆとの組み合わせによって構成されている。
【００５６】
次に、面発光照明パネル２０の点灯時の光の放射について説明する。図４に示すように、有機ＥＬ層２２が発した光７１，７２（より具体的には、有機ＥＬ層２２に含まれる発光層（図示せず）が発した光７１，７２）は透明基板２１の光放射面２１ｂから外方に放射される。ここで、有機ＥＬ層２２が発した光の一部である光７１は、透明基板２１の光放射面２１ｂに設けられた反射層３１により反射されて再度有機ＥＬ層２２に入射する。そして、再度有機ＥＬ層２２に入射した光は、金属電極２３によって透明基板２１側に反射され、透明基板２１の光放射面２１ｂから外方に放射される。なお、金属電極２３によって透明基板２１側に反射された光の一部は、再度反射層３１により有機ＥＬ層２２側に反射されて外方に放射されないが、その後金属電極２３によって透明基板２１側に反射される。従って、有機ＥＬ層２２が発した光は、一部が繰り返し反射層３１と金属電極２３とによって反射されつつ、次第に外方に放射されていく。
【００５７】
従って、有機ＥＬ層２２が発した光７１，７２のうち、一部の光７１は反射層３１および金属電極２３によって反射され、残部の光７２は反射層３１等によって反射されることなく、透明基板２１の光放射面２１ｂから外方に放射される。よって、有機ＥＬ層２２が発した光７１，７２は、高い効率で透明基板２１の光放射面２１ｂから外方に放射される。
【００５８】
また、有機ＥＬ層２２が発した光７１，７２は、着色層３２を通過することなく外方に放射される。従って、面発光照明パネル２０が発した光を忠実にそのままの色で外方に放射することができる。
【００５９】
次に、面発光照明パネル２０の消灯時の光の反射について説明する。図６は、面発光照明パネル２０が消灯時の光の反射を示す断面図である。外方から面発光照明パネル２０を指向する光８１，８２，８３のうち、光８１は、積層体３０に入射して着色層３２を通過した後、反射層３１により反射されて再度着色層３２を通過して外方に放射されるか、着色層３２自身によって着色された光として反射され、外部に放射される。従って、外方から面発光照明パネル２０を指向する光の一部である光８１は、着色層３２の素材等に応じた所定の色になって反射される。
【００６０】
なお、外方から面発光照明パネル２０を指向する光８１，８２，８３のうち、積層体３０に入射しなかった残部の光８２，８３は、透明基板２１および有機ＥＬ層２２を通過した後、金属電極２３によって反射され、光８２は透明基板２１の光放射面２１ｂから外方に放射される。また、光８３は反射層３１により反射されて再度有機ＥＬ層２２に入射した後、金属電極２３によって透明基板２１側に反射され、透明基板２１の光放射面２１ｂから外方に放射される。なお、金属電極２３によって透明基板２１側に反射された光の一部は、再度反射層３１により有機ＥＬ層２２側に反射されて外方に放射されないが、その後金属電極２３によって透明基板２１側に反射される。従って、積層体３０に入射しなかった光は、一部が繰り返し反射層３１と金属電極２３とによって反射されつつ、次第に外方に放射されていく。
【００６１】
一般に、金属電極２３は、アルミニウムである場合には銀色または灰色に見える。そうすると、面発光照明パネル２０は、消灯時には外方から、着色層３２の素材等に応じた所定の色と、金属電極２３の銀色または灰色とが混じり合って見える。従って、本実施例によれば、面発光照明パネル２０の消灯時に、当該面発光照明パネルが点灯時に発する色から他の所望の色に異ならせることが可能になり、当該面発光照明パネルのデザイン性を向上させることができる。
【００６２】
なお、透明基板２１の光放射面２１ｂにおいて積層体３０によって覆われる領域の面積は、面発光照明装置１０の設置目的や場所に応じて様々に決定可能である。具体的には、例えば、面発光照明装置１０から面発光照明パネル２０が発した光をより多く外方に放射したい場合には、積層体３０によって覆われる領域の面積は、光放射面２１ｂの面積の２０％程度以下であることが好ましい。なお、積層体３０によって覆われる領域の面積は光放射面２１ｂの面積の５０％程度未満であることが好ましいが、５０％以上であっても面発光照明パネル２０が発した光を十分に外方に放射することができる。有機ＥＬ層２２が発した光は、直接放射されるだけでなく、上述のように反射層３１および金属電極２３に反射されて、外方に放射されるからである。
【００６３】
本実施形態によれば、面発光照明パネル２０の消灯時に、光放射面側に反射する光の色を有機ＥＬパネルの金属電極２３の本来の色から所望の異なる色にすることができる。従って、面発光照明装置１１の正面の外観を、金属電極２３の本来の色から異なる色や模様、デザイン等にすることができる。また、面発光照明パネル２０の点灯時には、有機ＥＬ層２２が発した光は着色層３２を通過しないので、有機ＥＬ層２２が発した光の色は、着色層３２によって変色することがない。従って、有機ＥＬ層２２が発した光を忠実にそのままの色で放射することができる。
【００６４】
さらに、面発光照明パネル２０の点灯時に有機ＥＬ層２２から発せられて積層体３０を指向する光は、反射層３１および金属電極２３によって反射されて外方に放射されるので、発光効率の低下を良好に防止することができる。
【００６５】
第２の実施形態
次に、本発明の第２の実施形態の面発光照明装置１２について説明する。図７は、本発明の第２の実施形態の面発光照明装置１２を示す断面図である。図４に例示して説明した第１の実施形態の面発光照明装置１１は、面発光照明パネル２０の透明基板２１の光放射面２１ｂに積層体３０が設けられていた。そして、積層体３０のそれぞれに反射層３１および着色層３２がそれぞれ積層されていた。
【００６６】
それに対して第２の実施形態の面発光照明装置１２は、図７に示すように、面発光照明パネル２０の透明基板２１の光放射面２１ｂに光透過性シート４０が貼付されている。従って、光透過性シート４０の一方の面４０ａは光放射面２１ｂに接している。また、光透過性シート４０の他方の面４０ｂに積層体３０が設けられている。その他の構成は、図４および図６に例示した第１の実施形態の面発光照明装置１１と同様なため、対応する構成要素に同じ符号を付し、説明を省略する。
【００６７】
本実施形態によれば、前述した第１の実施形態の面発光照明装置１１と同様な効果を奏し、さらに、透明基板２１に直接に積層体３０を設ける必要がないので、面発光照明パネル２０の製造の自由度をより高めることにより、面発光照明装置１２の製造の自由度をより高めることができるという効果を奏する。
【００６８】
第３の実施形態
次に、本発明の第３の実施形態の面発光照明装置１３について説明する。図８は、本発明の第３の実施形態の面発光照明装置１３を示す断面図である。図７に例示して説明した第２の実施形態の面発光照明装置１２は、面発光照明パネル２０の透明基板２１の光放射面２１ｂに貼付された光透過性シート４０に積層体３０が設けられていた。
【００６９】
それに対して、第３の実施形態の面発光照明装置１３では、図８に示すように、面発光照明パネル２０の透明基板２１の光放射面２１ｂに対向して配設された光透過性板状体５０に積層体３０が設けられている。より具体的には、第３の実施形態の面発光照明装置１３は、面発光照明パネル２０の透明基板２１の光放射面２１ｂに対向して配設された光透過性板状体５０を含み、当該光透過性板状体５０は、光放射面２１ｂに対向する第１面５０ａと反対側の第２面５０ｂとを有し、第２面５０ｂに積層体３０が設けられている。その他の構成は、図４および図６に例示した第１の実施形態の面発光照明装置１１と同様なため、対応する構成要素に同じ符号を付し、説明を省略する。
【００７０】
本実施形態によれば、前述した第１の実施形態の面発光照明装置１１と同様な効果および前述した第２の実施形態の面発光照明装置１２と同様な効果を奏する。
【００７１】
本実施形態によれば、さらに、故障等の何らかの理由で面発光照明パネル２０を交換する際に、反射層３１および着色層３２が形成されている光透過性板状体５０を交換する必要がないので、低廉なメンテナンス費用で面発光照明装置１３を維持することができる。
【００７２】
また、本実施形態によれば、反射層３１および着色層３２が外方に露出しているので、面発光照明パネル２０を取り外す必要なく、光透過性板状体５０から反射層３１および着色層３２を除去したり、さらに再度形成したりして、面発光照明装置１３のデザインを容易に変更することや、修復をすることができる。
【００７３】
第４の実施形態
次に、本発明の第４の実施形態の面発光照明装置１４について説明する。図９は、本発明の第４の実施形態の面発光照明装置１４を示す断面図である。図８に例示して説明した第３の実施形態の面発光照明装置１３は、面発光照明パネル２０の透明基板２１の光放射面２１ｂに対向して配設された光透過性板状体５０を含み、当該光透過性板状体５０は、光放射面２１ｂに対向する第１面５０ａと反対側の第２面５０ｂとを有し、第２面５０ｂに積層体３０が設けられている。それに対して、第４の実施形態の面発光照明装置１４では、図９に示すように、光透過性板状体５０において光放射面２１ｂに対向する第１面５０ａに積層体３０が設けられている。
【００７４】
本発明では、積層体３０は、着色層３２と反射層３１とから形成されている。そして、反射層３１が面発光照明パネル２０側に配置され、着色層３２が光放射方向側に配置されている。
【００７５】
本実施形態でも、光放射面２１ｂ側から順に反射層３１および着色層３２を積層するために、図９に示すように、面発光照明装置１４における光透過性板状体５０の第１面５０ａに着色層３２が形成され、当該着色層３２上に反射層３１が形成される。その他の構成は、図８に例示した第３の実施形態の面発光照明装置１３と同様なため、対応する構成要素に同じ符号を付し、説明を省略する。
【００７６】
本実施形態によれば、前述した第１の実施形態の面発光照明装置１１と同様な効果、および前述した第２の実施形態の面発光照明装置１２と同様な効果を奏する。また、前述した第３の実施形態の面発光照明装置１３と同様に、何らかの理由で面発光照明パネル２０を交換する際に、反射層３１および着色層３２が形成されている光透過性板状体５０を交換する必要がないので、低廉なメンテナンス費用で面発光照明装置１４を維持することができる。
【００７７】
本実施形態によれば、さらに、反射層３１および着色層３２が面発光照明装置１４の内側に設けられるので、反射層３１および着色層３２の耐久性をより高めることができる。
【００７８】
第５の実施形態
次に、本発明の第５の実施形態の面発光照明装置１５について説明する。図１０は、本発明の第５の実施形態の面発光照明装置１５を示す断面図である。本実施形態の面発光照明装置１５は、面発光照明パネル２０の透明基板２１の光放射面２１ｂに対向する位置に、入射した光が通過するときに散乱する光拡散性板状体６０を含む。図１０に示す例では、図４に示す第１の実施形態の面発光照明パネル２０の透明基板２１の光放射面２１ｂに対向する位置に、光拡散性板状体６０が配設されている。その他の構成は、図４および図６に例示した第１の実施形態の面発光照明装置１１と同様なため、対応する構成要素に同じ符号を付し、説明を省略する。
【００７９】
光拡散性板状体６０には、例えば、入射した光を散乱させる散乱材が含有されていたり、表面に凹凸を形成させる粗面処理や梨地処理が施されていたりする。
【００８０】
本実施形態によれば、面発光照明パネル２０側から光拡散性板状体６０に入射した光は当該光拡散性板状体６０を通過するときに散乱するので、面発光照明パネル２０の消灯時に、着色層３２が形成されている積層体３０と、残領域とによる色むらを良好に防ぐことができる。
【符号の説明】
【００８１】
１０、１１、１２、１３、１４、１５    面発光照明装置
２０    面発光照明パネル
２１ｂ  光放射面
３１    反射層
３２    着色層
５０    光透過性板状体
６０    光拡散性板状体
【図１】
2015041420.tif 000003
【図２】
2015041420.tif 000004
【図３】
2015041420.tif 000005
【図４】
2015041420.tif 000006
【図５】
2015041420.tif 000007
【図６】
2015041420.tif 000008
【図７】
2015041420.tif 000009
【図８】
2015041420.tif 000010
【図９】
2015041420.tif 000011
【図１０】
2015041420.tif 000012